(57)【要約】【課題】  コネクタの回りに手や指が入る空間がなくてもコネクタの嵌合が解除可能にする。【解決手段】  引き抜き対象のコネクタが収納される収納室の壁面に形成された係止穴９１に、引き抜き対象のコネクタに形成された弾性変形可能なロックアーム９２の係止突起９３が係止された係止状態を解除するコネクタ抜き治具１である。具体的には、基板２に支持されたガイド溝３内に摺動自在に装着されたスライドレバー５と、基板２の一端部に形成され他方のコネクタのロックアーム９２の反対側の外壁面の後端に形成された引掛け部８４が係合される係合溝４を備えている。特に、スライドレバー５の先端部は、ガイド溝３の底面に対応する摺動面側から反対面側に向かって先細り状に形成された傾斜面５１を有し、傾斜面５１がロックアーム９２の後端に当接可能な位置に設定されている。【選択図】        図２
2010251123.tif 000002
【特許請求の範囲】
【請求項１】
一方のコネクタに設けられた収納室の壁面に形成された係止穴に、前記収納室に挿入される他方のコネクタに形成された弾性変形可能なロックアームの係止突起を係止させて嵌合される一対のコネクタの前記ロックアームの係止状態を解除するコネクタ抜き治具であって、
基板に支持されたガイド溝内に摺動自在に装着されたスライドレバーと、前記基板の一端部に形成され前記他方のコネクタの前記ロックアームの反対側の外壁面の後端に形成された引掛け部が係合される係合溝を備え、前記スライドレバーの先端部は、前記ガイド溝の底面に対応する摺動面側から反対面側に向かって先細り状に形成された傾斜面を有し、該傾斜面が前記ロックアームの後端に当接可能な位置に、前記基板に対する前記ガイド溝の底面の位置が設定されているコネクタ抜き治具。
【請求項２】
前記ロックアームの後端部を挟んで前記他方のコネクタの外壁面に起立して設けられ、前記ロックアームが不用意に係止解除されるのを防止する一対の保護壁が設けられ、
前記スライドレバーの幅は、前記一対の保護壁の対向面の間を挿通可能に形成されてなることを特徴とする請求項1に記載にコネクタ抜き治具。
【発明の詳細な説明】
【技術分野】
【０００１】
本発明は、コネクタ抜き治具に係り、具体的には、一方のコネクタに形成された収納室に挿入され、弾性変形可能な係合部により結合されている他方のコネクタの係合を解除して、他方のコネクタを抜き取るコネクタ抜き治具に関する。
【背景技術】
【０００２】
一般に、雄と雌の一対のコネクタを嵌合させて用いられるコネクタは、通常時に嵌合状態が容易に解除されないように、一方のコネクタのハウジングに係止穴を設けるとともに、他方のコネクタのハウジングに弾性変形可能な部材で形成したロックアームに係止突起を設け、嵌合時にロックアームを弾性変形させて係止突起を係止穴に係止させて、嵌合状態を保持するように構成されている（例えば、特許文献１、２）。
【０００３】
ここで、コネクタ同士を結合しているロックアームを外す際に、ロックアームを弾性変形させて係合状態を解除する必要がある。係合状態を解除する場合、例えば細い棒を用いてロックアームを弾性変形させて解除することが可能ではあるが、コネクタに傷をつけて外観を損ねるおそれがあり、また、場合によってはコネクタの機能を損ねる可能性がある。
【０００４】
このような問題を解決するため、特許文献１、２にはコネクタを抜き取る治具が提案されている。特許文献１のコネクタ抜き治具は、抜き取る側のコネクタの端部に装着可能な治具本体を形成し、その治具本体にロック解除用アームを延在させて設け、その解除用アームの先端部にロックアームを弾性変形させる方向に進退可能に解除ピンを保持させて構成されている。これによれば、解除ピンを進出させて抜き取る側のコネクタに形成されたロックアームを弾性変形させて、係止突起を係止穴から離脱させた後、抜き取る側のコネクタを治具に装着した状態で離脱することができる。
【０００５】
一方、特許文献２のコネクタ抜き治具は、治具の一端にロックアームを押圧して弾性変形させる押圧突起を設けるとともに、他端にロックアームを押圧した状態で一対のコネクタを離脱させるクサビ状の補助突起を設けて構成されている。これによれば、一対のコネクタの抜き取り方向に直交する方向からロックアームを押圧することにより、容易にコネクタの嵌合状態を離脱させることができる。
【先行技術文献】
【特許文献】
【０００６】
【特許文献１】特開平３−１５４７３号公報
【特許文献２】特開２００３−３１７８６５号公報
【発明の概要】
【発明が解決しようとする課題】
【０００７】
しかし、特許文献１、２に記載のコネクタを抜き取る治具は、コネクタの抜き取り方向に直交する方向から解除ピンを進退し、あるいはコネクタの抜き取り方向に直交する方向に治具全体を装脱しなければならないから、コネクタの回りに手が入るような空間が必要となる。
【０００８】
ところが、コネクタの用途によっては、例えば自動車用のオートトランスミッションのセンサーなどのように、コネクタを小型化して配置場所に融通性をもたせ、機器又は部品間の隙間など、手の届かない部位や手が入らない部位に配置される場合がある。このような場合、コネクタの嵌合作業の作業性が悪く、部品の交換や修理の際にコネクタを外す作業などのメンテナンス作業が困難な場合がある。
【０００９】
本発明が解決しようとする課題は、コネクタの回りに手や指が入る空間がなくても、コネクタの嵌合を解除可能なコネクタ抜き治具を提供することにある。
【課題を解決するための手段】
【００１０】
上記の課題を解決する本発明のコネクタ抜き治具は、一方のコネクタに設けられた収納室の壁面に形成された係止穴に、前記収納室に挿入される他方のコネクタに形成された弾性変形可能なロックアームの係止突起を係止させて嵌合される一対のコネクタの前記ロックアームの係止状態を解除するコネクタ抜き治具であって、基板に支持されたガイド溝内に摺動自在に装着されたスライドレバーと、前記基板の一端部に形成され前記他方のコネクタの前記ロックアームの反対側の外壁面の後端に形成された引掛け部が係合される係合溝を備え、前記スライドレバーの先端部は、前記ガイド溝の底面に対応する摺動面側から反対面側に向かって先細り状に形成された傾斜面を有し、該傾斜面が前記ロックアームの後端に当接可能な位置に、前記基板に対する前記ガイド溝の底面の位置が設定されていることを特徴とする。
【００１１】
このように構成されることから、本発明のコネクタ抜き治具によれば、コネクタ抜き治具の基板の一端部に設けた係合溝を引き抜き対象のコネクタの後端に形成された引掛け部に係合させた後、ガイド溝内を摺動させてスライドレバーを引き抜き対象のコネクタ側に押し出すことにより、スライドレバーの先端の傾斜面が引き抜き対象のコネクタの弾性変形可能なロックアームの後端である操作端に当接する。その後、さらにスライドレバーを押し出すとロックアームが弾性変形して、ロックアームの係止突起が相手コネクタの係止穴から離脱され、ロックアームの係止状態を解除することができる。このように、本発明によれば、引き抜き対象のコネクタの後端側から引き抜き方向に沿って逆方向にスライドレバーを押し出して、ロックアームの係止状態を解除することができることから、コネクタの回りに手や指が入る空間がなくても、コネクタの嵌合を解除することができる。なお、引き抜き対象のコネクタは、ロックアームの弾性反力によってコネクタ抜き治具の基板とスライドアームの摺動面とに挟持された状態で引き抜かれる。
【００１２】
この場合において、ロックアームの後端部を挟んで他方のコネクタの外壁面に起立させて、ロックアームが不用意に係止解除されるのを防止する一対の保護壁を設け、スライドレバーの幅を一対の保護壁の対向面の間を挿通可能に形成することが好ましい。これによれば、スライドレバーが一対の保護壁によって、ロックアームの後端（操作端）に正しくガイドされる。
【００１３】
また、ロックアームの後端（操作端）に、指などで解除操作可能な操作部を設けることが好ましい。この場合、スライドレバーの先端の傾斜面は操作部に合わせた位置に設定する。さらに、スライドレバーの押し出し操作を容易にするために、スライドレバーの後端に指などで操作可能な操作端を形成することが好ましい。また、スライドレバーがガイド溝から抜け落ちないように、ガイド溝の少なくとも中央部に溝に渡して抜け止め部材を設けることができる。
【発明の効果】
【００１４】
本発明によれば、コネクタの回りに手や指が入る空間がなくても、コネクタの嵌合を解除可能なコネクタ抜き治具を実現できる。
【図面の簡単な説明】
【００１５】
【図１】本発明に係る実施形態のコネクタ抜き治具の斜視図である。
【図２】実施形態のコネクタ抜き治具を用いて一対のコネクタのロックアームの係止状態を解除した状態の斜視図である。
【図３】実施形態のコネクタ抜き治具の係合溝を他方のコネクタの引掛け部に係合した状態の側面図である。
【図４】実施形態のコネクタ抜き治具に用いられるスライドレバーの先端部をロックアームの後端に当接した状態の側断面図である。
【図５】実施形態のコネクタ抜き治具を用いて一対のコネクタのロックアームの係止状態を解除した状態の側断面図である。
【図６】実施形態のコネクタ抜き治具を用いてロックアームの係止状態を解除する一対のコネクタの斜視図である。
【図７】実施形態のコネクタ抜き治具を用いてロックアームの係止状態を解除する一対のコネクタに用いられる他方のコネクタの斜視図である。
【発明を実施するための形態】
【００１６】
以下、本発明に係るコネクタ抜き治具を実施形態に基づいて説明する。
本実施形態のコネクタ抜き治具は、図２に示すように、一方のコネクタである第１コネクタ７に設けられた収納室７１の壁面に形成された係止穴９１に、収納室７１に挿入される他方のコネクタである第２コネクタ８に形成された弾性変形可能なロックアーム９２の係止突起９３を係止させて嵌合される一対のコネクタ７、８のロックアーム９２の係止状態を解除するものである。
【００１７】
第１コネクタ７は、図６に示すように、一端が開口された収納室７１を有する合成樹脂製で箱状に形成されている。第１コネクタ７の開口の反対側の面には、電線が挿入される挿入穴７２が複数設けられている。挿入穴７２は、収納室７１に突出し電線が接続されるオス端子が保持される穴７３に連通されている。また、第１コネクタ７は、箱状の収納室７１を形成する４つの壁面のうち１つの壁面（図示例では上方の壁面）に挿入方向に延在させて係止穴９１が形成されてなる。なお、図６中、符号７８は、第１コネクタ７を外部に取り付けるための取付部を示す。
【００１８】
第２コネクタ８は、図２、図６及び図７に示すように、第１コネクタ７の収納室７１に挿入して嵌合される合成樹脂製の直方体状に形成されている。第２コネクタ８の挿入方向の先端面には、第１コネクタ７のオス端子が挿入されて接続されるメス端子が保持される穴８１が複数設けられている。穴８１は、第２コネクタ８の後端面に開口されてメス端子に接続される電線が挿入される挿入穴８２に連通されている。第２コネクタ８の挿入方向の長さは、第１コネクタ７の収納室７１の長さよりも長い寸法に形成されている。
【００１９】
第２コネクタ８は、第１コネクタ７の係止穴９１に対向する外壁面８ａ（図示例では上方の外壁面）にロックアーム９２が設けられている。ロックアーム９２は、第２コネクタ８の外壁面８ａの先端部に一体的に形成されている脚部９４に先端部が一体的に連結され、第２コネクタ８の外壁面８ａの後端部の近傍まで浮かして延在させて弾性部材で形成されている。また、ロックアーム９２は、第１コネクタ７の収納室７１に第２コネクタ８を挿入したとき、後端部が第１コネクタ７から突出する長さに形成されている。
【００２０】
ロックアーム９２の外面には、第２コネクタ８の所定の挿入位置で係止穴９１の縁に係止される係止突起９３が設けられている。係止突起９３は、第２コネクタ８の挿入の際、第１コネクタ７の収納室７１を形成する壁の端部が最初に接触する箇所が傾斜された断面三角形状に形成されている。これにより、係止突起９３が第１コネクタ７の収納室７１内に容易に入り込み易くなっている。また、第２コネクタ８を第１コネクタ７の収納室７１に挿入して第２コネクタ８の先端部が収納室７１の奥壁の近傍に位置されたとき、第２コネクタ８のロックアーム９２の係止突起９３が第１コネクタ７の係止穴９１の縁に係止されて、第２コネクタ８の第１コネクタ７への嵌合状態が保持されるようになっている。この嵌合状態のとき、図示を省略したが、第１コネクタ７の後端面の複数の挿入穴７２から挿入された各電線に接続された複数のオス端子と、第２コネクタ８の後端面の複数の挿入穴８２から挿入された各電線に接続された複数のメス端子とが接続されるようになっている。
【００２１】
また、ロックアーム９２の後端である操作端には、指などで係止突起９３と係止穴９１の係止状態を解除操作可能な操作部９５が設けられている。操作部９５は、第１コネクタ７に第２コネクタ８を挿入したとき、係止穴９１が形成されている第１コネクタ７の外壁面よりも離れた位置に形成されている。これにより、操作部９５をロックアーム９２が設けられている第２コネクタ８の外壁面８ａ側に押し下げると、係止突起９３と係止穴９１の係止が解除されて第２コネクタ８を第１コネクタ７から引き抜けるようになっている。また、ロックアーム９２は、操作部９５を外壁面８ａ側に押し下げて係止突起９３と係止穴９１の係止を解除したとき、操作部９５が収納室７１を形成する壁の内表面の内側に押し下げられるように外壁面８ａとの間隔が設定されている。
【００２２】
また、第２コネクタ８には、ロックアーム９２の後端部を挟んで第２コネクタ８の外壁面８ａに起立させて、ロックアーム９２が不用意に弾性変形して係止解除されるのを防止する一対の保護壁８３が設けられている。また、第２コネクタ８のロックアーム９２の反対側の外壁面の後端には、引掛け部８４が突出して形成されている。
【００２３】
次に、本実施形態のコネクタ抜き治具１について説明する。コネクタ抜き治具１は、図１及び図２に示すように、基板２に支持されたガイド溝３内に摺動自在に装着されたスライドレバー５と、基板２に形成され第２コネクタ８の引掛け部８４が係合される係合溝４を備えて形成されている。
【００２４】
基板２は、長手方向を有する平板状に形成されている。基板２の基板面の一端部近傍には、短手方向に延在し引掛け部８４が係合される係合溝４が形成されている。基板２は、係合溝４より中央側から他端部までの基板面の一側縁部から起立した支持部材３４が設けられてなる。これにより、係合溝４を第２コネクタ８の引掛け部８４に係合したとき、支持部材３４が第２コネクタ８の挿入穴８２から引き出されている電線との干渉が防止されたり電線が逃げたりして電線が邪魔にならないようになっている。なお、支持部材３４は、図示例では平板部材で形成されているが、ガイド溝３を支持することができれば、特に限定されず、棒状部材を複数本設けて形成したりしてもよい。
【００２５】
ガイド溝３は、基板２と平行の長手方向を有する平板状の底板３１と、底板３１の両側縁部から基板２とは反対側に直交する方向に平行に延在する一対の側板３２とから形成されている。ガイド溝３は、底板３１の裏面に支持部材３４が連結されて支持されている。ガイド溝３の長手方向の中央部の溝開口には、架け渡たされた棒状の脱出防止部材３５が設けられている。これにより、ガイド溝３からスライドレバー５が脱出することが防止されるようになっている。
【００２６】
スライドレバー５は、ガイド溝３の底面及び側板３２の対向する内面と脱出防止部材３５の下面にそれぞれ接する直方体状に形成されている。スライドレバー５の長さは、ガイド溝３の長手方向の長さよりも長く形成されている。スライドレバー５の幅は、スライドレバー５が一対の保護壁８３の対向面の間を挿通可能に、第２コネクタ８の一対の保護壁８３の対向面の間隔よりも少し狭い寸法に形成されている。スライドレバー５の先端部は、ガイド溝３の底面に対応する摺動面側から反対面側に向かって先細り状に形成された傾斜面５１を有して形成されている。
【００２７】
スライドレバー５の傾斜面５１は、ロックアーム９２の後端に当接可能な位置に、基板２に対するガイド溝３の底面の位置が設定されている。すなわち、ガイド溝３は、第２コネクタ８の引掛け部８４に係合溝４を係合したとき、底面が第２コネクタ８の係止穴９１が形成されている壁の内表面と同等又は内表面より少し内側に位置されるように形成されている。また、スライドレバー５の傾斜面５１は、ロックアーム９２の操作部９５に合わせた位置に設定されている。すなわち、ガイド溝３は、第２コネクタ８の引掛け部８４に係合溝４を係合したとき、開口が係止穴９１に係合されたロックアーム９２の操作部９５よりも第２コネクタ８から離れるように形成されている。また、スライドレバー５は、摺動面の反対側の外面の後端部に外面から突出した脚部を有する指当て部５２が設けられている。これにより、スライドレバー５の押し出し操作を容易に行えるようになっている。
【００２８】
コネクタ抜き治具１を用いて第１コネクタ７に係止されている第２コネクタ８を係止解除して引き抜くには、まず、図３に示すように、コネクタ抜き治具１の基板２の一端部に設けた係合溝４を第２コネクタ８の後端に形成された引掛け部８４に係合させる。係合させた後、ガイド溝３内を摺動させてスライドレバー５を第２コネクタ８側に押し出す。これにより、図４に示すように、スライドレバー５の先端部がガイド溝３から突出して先端部の傾斜面５１が第２コネクタ８の弾性変形可能なロックアーム９２の操作部９５の後端に当接する。
【００２９】
さらにスライドレバー５を押し出すとロックアーム９２が弾性変形して、スライドレバー５の傾斜面５１に沿って摺動面側へと摺動して操作部９５が第２コネクタ８の外壁面８ａ側に徐々に押し下げられる。そして、ロックアーム９２の係止突起９３が第２コネクタ８の係止穴９１から離脱されてロックアーム９２の係止状態が解除される。ロックアーム９２の操作部９５がスライドレバー５の摺動面の内側に位置されてから、図５に示すように、スライドレバー５の先端部が第１コネクタ７の収納室７１を形成する壁の端部に当接して、スライドレバー５の動きが止まる。
【００３０】
スライドレバー５の動きが止まったら、コネクタ抜き治具１をスライドレバー５を押し出した方向と逆方向である第２コネクタ８の引き抜き方向に沿って移動することで、第１コネクタ７の収納室７１から第２コネクタ８が引き抜かれる。このとき、第２コネクタ８は、ロックアーム９２の弾性反力によってコネクタ抜き治具１の基板２とスライドレバー５の摺動面とに挟持されて保持されるので、スライドレバー５が動かないようにスライドレバー５を保持することなく、第２コネクタ８の引き抜きを簡単に行える。
【００３１】
したがって、本実施形態のコネクタ抜き治具１は、引き抜き対象の第２コネクタ８の後端側から引き抜き方向に沿って逆方向にスライドレバー５を押し出して、ロックアーム９２の係止状態を解除することができることから、第２コネクタ８の回りに手や指が入る空間がない場合や油中コネクタの場合でも、コネクタ７、８の嵌合を解除することができる。
【００３２】
また、スライドレバー５を押し出して、スライドレバー５の先端部が第１コネクタ７の収納室７１を形成する壁の端部に当接してスライドレバー５の動きが止まると、ロックアーム９２の係止状態が解除されているから、動きが止まるまでスライドレバー５を押し出せば、ロックアーム９２の係止状態を解除できるので、コネクタ７、８の嵌合解除を簡単に行える。また、スライドレバー５を押し出してロックアーム９２の係止状態が解除されると、スライドレバー５の動きが止まるので、必要以上にスライドレバー５を押し出しすぎてロックアーム９２が破損するおそれがない。
【００３３】
また、第１コネクタ７から第２コネクタ８を引き抜いたとき、第２コネクタ８は、ロックアーム９２の弾性反力によってコネクタ抜き治具１の基板２とスライドレバー５の摺動面とに挟持されて保持されるので、第２コネクタ８が落下することなく引き抜ける。これにより、引き抜かれた第２コネクタ８が手や指が入らない空間等に落下して取れなくなったり紛失したりすることを防止できる。
【００３４】
また、スライドレバー５の幅が第２コネクタ８の一対の保護壁８３の対向面の間に挿通可能に形成されているから、スライドレバー５が一対の保護壁８３によって、ロックアーム９２の後端（操作端）に正しくガイドされる。この場合、スライドレバー５の先端部は、先端に向かって幅方向が先細り状に形成されていることが好ましい。これにより、スライドレバー５が一対の保護壁８３の間に挿入され易くなってロックアーム９２の後端（操作端）に一層正しくガイドされる。
【００３５】
なお、本実施形態では、ガイド溝３の溝開口に脱出防止部材３５を架け渡してガイド溝３からのスライドレバー５の脱出を防止したが、これに限定されず、他の手段、例えば、ガイド溝の互いに対向する両側内面に長手方向に延在するスライド溝を設け、スライドレバーの両側面にスライド溝に係合する突起を設けるようにしてもよい。
【符号の説明】
【００３６】
１  コネクタ抜き治具
２  基板
３  ガイド溝
４  係合溝
５  スライドレバー
７  第１コネクタ
８  第２コネクタ
５１  傾斜面
７１  収納室
８３  保護壁
８４  引掛け部
９１  係止穴
９２  ロックアーム
９３  係止突起
【図１】
2010251123.tif 000003
【図２】
2010251123.tif 000004
【図３】
2010251123.tif 000005
【図４】
2010251123.tif 000006
【図５】
2010251123.tif 000007
【図６】
2010251123.tif 000008
【図７】
2010251123.tif 000009